(57)【要約】    【課題】ライフジャケット着用時に違和感のないスムーズな動作が可能なパンツ及びウェアシステムの提供。    【解決手段】このウェアシステム１０は、パンツ１３とライフジャケット１２とが組み合わされている。ライフジャケット１２は紐部材１６を備えている。紐部材１６は、その中間部がライフジャケット１２の後身頃１７に係合され、その両端部１８、１９が左右の前身頃２０、２１に着脱自在に連結されている。パンツ１３は、環状部２８を備えており、これに上記紐部材１６が挿通される。環状部２８は、基布３０と帯部材３１とを備えている。基布３０は、パンツ１３の生地２９の外側に縫い付けられている。帯部材３１は、環状に形成され、基布３０に縫い付けられている。【選択図】図１
2005206952.tif 000002
【特許請求の範囲】
【請求項１】
着用者の大腿部の外側に対応する部分にライフジャケットの紐部材が挿通され得る環状部を備えたパンツ。
【請求項２】
上記環状部は、
パンツの生地の外側に縫い付けられた基布と、基布に対して環状に縫い付けられた帯部材とを有する請求項１に記載のパンツ。
【請求項３】
中間部が後身頃に係合されると共に両端部が左右の前身頃にそれぞれ着脱自在に連結された紐部材を有するライフジャケットとパンツとが組み合わされたウェアシステムであって、
上記パンツは、着用者の大腿部の外側に対応する部分に上記紐部材が挿通される環状部を備えているウェアシステム。
【請求項４】
上記環状部は、
パンツの生地の外側に縫い付けられた基布と、基布に対して環状に縫い付けられた帯部材とを有する請求項３に記載のウェアシステム。
【発明の詳細な説明】
【技術分野】
【０００１】
本発明は、例えば魚釣りの際に使用されるウェアに関し、より具体的にはライフジャケット（救命胴衣）及びパンツが組み合わされたウェアシステムに関するものである。
【背景技術】
【０００２】
図７は、従来から提供されているライフジャケット（「フローティングベスト」とも称される。）の正面図である。また、図８は、ライフジャケットの前身頃が開かれた状態での正面図である。
【０００３】
このライフジャケット１は、例えば魚釣りの際に使用され、釣人が主として船からあるいは磯から釣りを行う場合に着用するものである（例えば、特許文献１及び非特許文献１参照）。ライフジャケット１は、紐２を備えている。紐２は、図８が示すように、ライフジャケット１の後身頃３に係合されており、紐２の両端部は、前身頃４、５に連結具（バックル）６を介して連結されている。
【０００４】
この要領で紐２が取り付けられることによって、紐２は、図７が示すように、２つの環状部７、８を構成する。釣人は、この環状部７、８に両足を挿入した状態でライフジャケット１を着用し、これにより、紐２は、釣人の股に掛け回された状態となる。このように紐２が釣人の股に掛け回されることにより、万が一釣人が海に落水した場合であっても、その衝撃でフローティングベスト１が釣人の身体から離脱することはない。
【０００５】
【特許文献１】特開２０００−８２０５号
【特許文献２】株式会社シマノ  ２００３  Fishing Tackle Catalogue（第１６１頁、第１６２頁）
【発明の開示】
【発明が解決しようとする課題】
【０００６】
しかし、従来のライフジャケット１では、紐２が釣人の股に挿通されるものであることから、釣人にとっては、ライフジャケット着用時の動作に違和感があり、これを改善したいとの要請があった。
【０００７】
そこで、本発明の目的は、ライフジャケット着用時に違和感のないスムーズな動作が可能なパンツ及びウェアシステムを提供することである。
【課題を解決するための手段】
【０００８】
(1) 上記目的が達成されるため、本発明に係るパンツは、着用者の大腿部の外側に対応する部分にライフジャケットの紐部材が挿通され得る環状部を備えたことを特徴とするものである。この構成では、パンツの着用者は、ライフジャケットを装着したときには、その紐部材を環状部に挿通することができるので、万一落水した場合であっても、ライフジャケットが身体から離脱することがない。しかも、上記紐部材は、パンツ着用者の大腿部に対応する部分に係合されることになるから、ライフジャケットを装着した場合であっても違和感のないスムーズな動作が可能である。
【０００９】
(2) また、上記目的が達成されるため、本発明に係るウェアシステムは、中間部が後身頃に係合されると共に両端部が左右の前身頃にそれぞれ着脱自在に連結された紐部材を有するライフジャケットとパンツとが組み合わされたウェアシステムであって、上記パンツは、着用者の大腿部の外側に対応する部分に上記紐部材が挿通される環状部を備えていることを特徴とするものである。この構成においも、パンツ及びライフジャケットを着用した者は、ライフジャケットの紐部材をパンツの環状部に挿通することによって、万一落水した場合であっても、ライフジャケットが身体から離脱することがない。しかも、上記紐部材は、パンツ着用者の大腿部に対応する部分に係合されることになるから、ライフジャケットを装着した場合であっても違和感のないスムーズな動作が可能である。
【００１０】
(3) 前述の環状部は、パンツの生地の外側に縫い付けられた基布と、基布に対して環状に縫い付けられた帯部材とを有して構成され得る。これにより、上記環状部の機械的強度が向上する。環状部の機械的強度は、静荷重が付加されたときの引張破断強度として定義される。本発明では、この機械的強度は、２９４Ｎ（３０ｋｇｆ）以上が好ましく、３９２Ｎ（４０ｋｇｆ）がより好ましいが、５８８Ｎ（６０ｋｇｆ）〜７８４（８０ｋｇｆ）に設定されるのがさらに好ましい。
【発明の効果】
【００１１】
本発明によれば、パンツ及びライフジャケットを着用した者、典型的には、船や磯から釣りをする釣人は、違和感のないスムーズな動作が可能である。しかも、紐部材が従来のように釣人の股に通されるものではないので、外観が良い。
【発明を実施するための最良の形態】
【００１２】
以下、適宜図面が参照されつつ、好ましい実施形態に基づいて本発明が詳細に説明される。
【００１３】
図１は、本発明の一実施形態に係るウェアシステムの全体図である。このウェアシステム１０は、磯釣りの際に釣人が着用するウェア１１と、ライフジャケット１２とを備えている。なお、ウェア１１は、パンツ１３とジャケット１４とを有し、同図ではジャケット１４は、その一部のみ図示されている。
【００１４】
釣人は、パンツ１３及びジャケット１４を着用し、ジャケット１４の上からライフジャケット１２を装着する。ライフジャケット１２は、従来から提供されているものと同様の構成であり、フロートを内蔵した本体１５と、紐部材１６とを備えている。この紐部材１６は、従来と同様に、その略中央部が本体１５の後身頃１７に係合され、且つその両端部１８、１９がそれぞれ本体１５の左右の前身頃２０、２１に連結されている。これら左右の前身頃２０、２１には、雌型のバックル２２、２３が固定されており、紐部材１６の両端部１８、１９にはそれぞれ雄型のバックル２４、２５が取り付けられている。これら雄型のバックル２４、２５は、それぞれ上記雌型のバックル２２、２３に着脱自在に係止される。
【００１５】
パンツ１３は、所定形状に裁断された生地により縫製されている。生地としては、綿、ナイロン、ポリエステルのほか、ゴアテックス（登録商標）が用いられた複合素材等、生地として採用され得るさまざまな素材が用いられる。本実施形態では、膝の部分に補強部材２６が設けられている。
【００１６】
パンツ１３の側面部、具体的には、パンツ１３を着用した釣人の大腿部に対応する部分２７に環状部２８が形成されている。そして、ライフジャケット１２の紐部材１６は、この環状部２８に挿通されるようになっている。
【００１７】
図２は環状部２８の拡大図であり、図３は図２におけるIII−III断面図である。
これらの図が示すように環状部２８は、パンツ１３の生地２９の外側に設けられた基布３０及び帯部材３１とを備えている。基布３０は、生地２９の補強部材として機能し、本実施形態では矩形に形成されている。基布３０は、例えばポリプロピレンやナイロン等からなる。ただし、基布３０の材質は、これに限定されるものではないが、基布３０を構成する素材の引張強度は、３０ｋｇｆ／ｃｍ以上のものが採用されるのが好ましい。
【００１８】
本実施形態では、基布３０の大きさは、寸法ａ×寸法ｂが３０ｍｍ×１１０ｍｍに設定されている。基布３０は、規格に合致したベルト材（幅寸法が３０ｍｍ）が裁断されることにより構成されている。なお、このような規格に合致したベルト材の強度は、単位幅当たりの引張強度で表される。基布３０の形状及びサイズはこれに限定されるものではなく、基布３０の面積が１０００ｍｍ２〜１００００ｍｍ２の範囲に設定されていれば他の形状に形成されていてもよい。
【００１９】
さらに、基布３０は、生地２９に縫いつけられているが、確実に縫いつけられるために、基布３０の周縁部が全周にわたって縫い止められ、且つ縫端は返し縫いされていることが好ましい。なお、本実施形態では、基布３０は単一の部材であるが、複数重ね合わされていてもよいことは勿論である。
【００２０】
帯部材３１は、基布３０に縫いつけられている。帯部材３１は、基布３０を構成する素材と同様の素材により構成されている。帯部材３１は、図３が示すように、細長の帯状に形成されている。帯部材３１の両端部３２、３３は折り返されており、この両端部３２、３３が基布３０に縫いつけられている。これにより、帯部材３１が環状に形成され、上記紐部材１６は、この帯部材３１の内側に挿通される。帯部材３１は、基布３０に確実に縫いつけられるために、特に返し縫いされていることが好ましい。本実施形態では、帯部材３１の幅寸法ｃは、１０ｍｍ〜１００ｍｍの範囲に設定され、両端部３２、３３の寸法ｄ（折返部分の寸法ｄ）は、５ｍｍ〜５０ｍｍの範囲に設定される。なお、本実施形態では、帯部材３１は単一の部材であるが、複数重ね合わされていてもよいことは勿論である。
【００２１】
環状部２８が前述のように形成されることによって、その引張強度は、３０ｋｇｆ（２９４Ｎ）〜８０ｋｇｆ（７８４Ｎ）に設定される。この場合、引張強度とは、静荷重が付加されたときの破断強度を意味する。
【００２２】
本実施形態に係るウェアシステム１０では、釣人は、パンツ１３、ジャケット１４を着用し、さらにライフジャケット１２をも着用した場合に、ライフジャケット１２の紐部材１６をパンツ１３の環状部２８に挿通し、当該紐部材１６の両端部１８、１９をライフジャケット１２の前身頃２０、２１に連結する。これにより、釣人が万一落水した場合であっても、ライフジャケット１２が釣人の身体から離脱することがない。
【００２３】
また、上記環状部２８は、釣人の大腿部の外側に対応する部分２７に設けられているから、紐部材１６は、当該部分２７に係合されることになる。したがって、釣人は、ライフジャケット１２を装着した場合であっても違和感のないスムーズな動作が可能である。さらに、上記環状部２８は、十分な引張強度を備えているから、上記紐部材１６が挿通されても損傷を受けることはない。
【００２４】
なお、パンツ１３は、本実施形態のようにライフジャケット１２との組み合わせにおいて好適に使用されるものであるが、パンツ１３の環状部２８は、他の小道具を取り付けるための取付部としても機能し得る。したがって、魚釣りにおいては、この環状部２８にプライヤーやハーケン等を取り付けておくことも可能である。
【００２５】
次に、本実施形態の変形例について説明される。
図４は、本実施形態の変形例に係るウェアシステムの要部拡大図であり、環状部４０の構成が詳細に図示されている。また、図５は、図４におけるV−V断面図であり、図６は、環状部４０の斜視図である。
【００２６】
本変形例に係る環状部４０が上記実施形態に係る環状部２８と異なるところは、上記環状部２８は、図３が示すように、パンツ１３の生地２９に補強部材としての基布３０が縫いつけられ、この基布３０に帯部材３１が環状に縫いつけられることによって構成されていたのに対し、本変形例に係る環状部４０は、係止部材４１により構成され、この係止部材４１がパンツ１３の生地２９に直接強固に固定されている点である。なお、その他の構成については、上記実施形態に係るウェアシステム１０と同様である。
【００２７】
同図が示すように、係止部材４１は薄肉矩形の板状に形成され、例えば、ポリエチレン、ポリプロピレン、ナイロン、シリコーン樹脂やポリウレタン等のエラストマーからなる。また、係止部材４１の肉厚寸法は、０．５ｍｍ〜５ｍｍに設定される。本変形例では、図５及び図６が示すように、係止部材４１の中央部４２が若干隆起しており、当該中央部４２には、一対のスリット４３が設けられている。係止部材４１の周縁部４６は、上記生地２９に縫いつけられて固定されている。この場合、係止部材４１が強固に固定されるために、返し縫いが行われるのが好ましい。
【００２８】
係止部材４１の中央部４２が隆起されることにより、図５が示すように生地２９と係止部材４１との間に隙間４５が形成される。また、上記スリット４３が設けられることにより、上記隙間４５の内部と外部とが連通される。すなわち、係止部材４１は環状に形成され、これにより、上記紐部材１６が係止部材４１に挿通される。本変形例では、係止部材４１の中央部４２が隆起されているが、特に中央部４２が隆起されていなくてもよいことは勿論である。
【００２９】
なお、本変形例では、このスリット４３の両端部４４は、円形に切りかかれている。上記係止部材４１がポリプロピレンやナイロンのテープにより構成される場合は、上記スリット４３は、いわゆるヒートカットにより構成される。
【００３０】
上記紐部材１６が上記一対のスリット４３間に挿通されることにより、当該紐部材１６は、係止部材４１に係止される。したがって、釣人が万一落水した場合であっても、ライフジャケット１２が釣人の身体から離脱することがない。また、上記係止部材４１は、上記実施形態と同様に釣人の大腿部の外側に対応する部分に設けられているから、釣人は、ライフジャケット１２を装着した場合であっても違和感のないスムーズな動作が可能である。さらに、上記スリット４３の端部４４が円形に切りかかれているから、紐部材１６が引っ張れたときに当該端部４４に生じる応力集中が緩和される。したがって、スリット４３の端部４４が容易に損傷を受けることはない。
【産業上の利用可能性】
【００３１】
本発明は、釣人が魚釣りの際に使用するウェアに好適に適用され得る。
【図面の簡単な説明】
【００３２】
【図１】図１は、本発明の一実施形態に係るウェアシステムの全体図である。
【図２】図２は、本発明の一実施形態に係るパンツの環状部の拡大図である。
【図３】図３は、図２におけるIII−III断面図である。
【図４】図４は、本発明の一実施形態の変形例に係るウェアシステムの要部拡大図である。
【図５】図５は、図４におけるV−V断面図である。
【図６】図６は、本発明の一実施形態の変形例に係る環状部の斜視図である。
【図７】図７は、従来から提供されているライフジャケットの正面図である。
【図８】図８は、従来のライフジャケットの前身頃が開かれた状態での正面図である。
【符号の説明】
【００３３】
１０・・・ウェアシステム
１１・・・ウェア
１２・・・ライフジャケット
１３・・・パンツ
１４・・・ジャケット
１５・・・本体
１６・・・紐部材
１７・・・後身頃
１８・・・端部
１９・・・端部
２０・・・前身頃
２１・・・前身頃
２２・・・雌型のバックル
２３・・・雌型のバックル
２４・・・雄型のバックル
２５・・・雄型のバックル
２７・・・大腿部に対応する部分
２８・・・環状部
２９・・・生地
３０・・・基布
３１・・・帯部材
３２・・・端部
３３・・・端部
４０・・・環状部
４１・・・係止部材
４２・・・中央部
４３・・・スリット
４４・・・端部
４５・・・隙間
４６・・・周縁部
【図１】
2005206952.tif 000003
【図２】
2005206952.tif 000004
【図３】
2005206952.tif 000005
【図４】
2005206952.tif 000006
【図５】
2005206952.tif 000007
【図６】
2005206952.tif 000008
【図７】
2005206952.tif 000009
【図８】
2005206952.tif 000010